(57)【要約】【課題】設置場所が限定されず、安価に製造できるとともに、簡単な構造であって、設置や輸送が容易な生ゴミ処理器を提供することを目的とする。【解決手段】生ゴミ処理器１ａは、段差部２を形成して生ゴミ投入口３が穿設されるとともに、この生ゴミ投入口３を囲むように縁近傍の下面に凸部４が連続又は断続して設けられた略平板状の本体部５ａと、窪み状の取っ手６を有するとともに、本体部５に対して略面一に取り付けられ、生ゴミ投入口３を閉塞する略平板状の蓋体７ａと、合成樹脂製又はステンレス製の網目構造を有する袋状体８とから構成される。【選択図】図１
0003114212.tif 000002
【実用新案登録請求の範囲】
【請求項１】
地面に掘設された凹穴に生ゴミを収容する生ゴミ処理器において、生ゴミ投入口が段差部を形成して穿設され前記凹穴の開口部を蓋う略平板状の本体部と、この本体部の前記段差部に嵌合して生ゴミ投入口を閉塞する着脱自在の略平板状の蓋体とを備え、前記本体部と蓋体の上面は略面一となることを特徴とする生ゴミ処理器。
【請求項２】
前記本体部は、外縁近傍の下面に前記生ゴミ投入口を囲むように凸部が連続又は断続して設けられることを特徴とする請求項１記載の生ゴミ処理器。
【請求項３】
前記凹穴の内部に配置され、上部が前記生ゴミ投入口と連通するように開口された袋状体を備え、前記段差部には封止溝とこの封止溝に設けられる封止部材とが設けられ、前記本体部は、前記袋状体を取り付ける保持具を有することを特徴とする請求項１又は請求項２に記載の生ゴミ処理器。
【請求項４】
前記封止溝よりも内周側の段差部に凹部を形成し、この凹部内に前記保持具が備えられることを特徴とする請求項３記載の生ゴミ処理器。
【請求項５】
前記封止溝よりも外周側の前記本体部上面に凹部を形成し、この凹部内に前記保持具が備えられることを特徴とする請求項３記載の生ゴミ処理器。
【請求項６】
前記本体部は、前記保持具を有することに代えて、前記生ゴミ投入口が設けられた蓋体固定部と、この蓋体固定部が嵌合する取付穴を有する枠体とから構成され、前記袋状体は、前記取付穴において前記蓋体固定部と前記枠体によって挟持されることを特徴とする請求項３記載の生ゴミ処理器。 
【考案の詳細な説明】
【技術分野】
【０００１】
本考案は、家庭から出される生ゴミを土中に埋設して土壌還元処理するための生ゴミ処理器に係り、特に、簡単な構造であって、設置や輸送が容易な生ゴミ処理器に関する。
【背景技術】
【０００２】
家庭から出される生ゴミは、通常、燃えるゴミとして回収され、焼却処分される。近年、ゴミの減量化を目的として高速発酵処理や乾燥処理を行う装置が開発され始めているが、一般に、これらの装置は大型で高価であり、多くのエネルギーを消費するなどの課題を抱えている。
これに対処する最も簡単な方法として、例えば、土中に生ゴミを直接埋設する方法等が考えられる。しかしながら、この方法では臭気の発生や害虫の侵入を防ぐため、生ゴミが発生する度に毎回穴を掘ったり、埋めたりする作業を行う必要がある。そこで、従来、家庭の敷地内に生ゴミを埋設し、既存の土中微生物や新たに添加した微生物等によって生ゴミの発酵及び分解を効率的に行う生ゴミ処理器（槽）に関して、いくつかの発明や考案が開示されている。
【０００３】
例えば、特許文献１には、「生ゴミ処理容器」という名称で、家庭等から出る生ゴミを発酵及び分解させて良好にコンポスト化あるいは土壌化させることが可能な生ゴミ処理容器に関する考案が開示されている。
【０００４】
以下、図６を参照しながら、特許文献１に開示された考案について説明する。
図６は従来技術に係る生ゴミ処理容器の構造を示す断面説明図である。
図６に示すように、従来技術に係る生ゴミ処理容器１０１は処理容器本体１０２を少なくとも２個配置したものであり、この処理容器本体１０２は、上部体１０４と、この上部体１０４に嵌入され、リベット１０６により固定されるとともに土中に掘られた穴１１２に完全に隠れるように埋設される網体１０５とから構成される。また、処理容器本体１０２は仕切り板１０７によって仕切られて収納空間１０２Ａ,１０２Ｂが形成され、上部体１０４に設けられた投入口１０３ａ,１０３ｂから投入された生ゴミはこれらの収納空間１０２Ａ,１０２Ｂにそれぞれ収納される。さらに、蓋体１０８ａ,１０８ｂが上部体１０４に対して軸１０９により一端を回動自在に軸着され、他端を係止具１１０により係脱自在に取り付けられるとともに、遮蔽蓋１１１が投入口１０３ａ,１０３ｂの下部を遮蔽するように設けられている。
上記構造の「生ゴミ処理容器」においては、穴底や側面が地面に接しているため、土中の微生物や細菌等によって生ゴミの発酵がなされ、ミミズ等の小動物による分解作用を受ける。また、収納空間１０２Ａ,１０２Ｂに生ゴミを投入する際、遮蔽蓋１１１があるため、内部の発酵の様子や小動物を直接目にすることがない。さらに、収納空間１０２Ａと収納空間１０２Ｂとをローテーションして使用することにより、生ゴミ処理容器１０１を長持ちさせることができる。
【０００５】
また、特許文献２には「生ゴミ処理容器」という名称で、土中にほぼ埋設した状態で使用する生ゴミ処理容器において、容器中に収容された生ゴミを微生物の働きにより長期間をかけて発酵分解させ堆肥化処理する生ゴミ処理容器に関する考案が開示されている。
特許文献２に開示された考案は、周壁面に無数の連通孔が形成されるとともに縦割りに分割可能な略筒状の容器周壁部と、この容器周壁部の上部を生ゴミ投入口を残して覆う略笠状の容器上層蓋部と、生ゴミ投入口を閉塞する着脱自在の遮断中蓋部と、この遮断中蓋部の上部に設置される外蓋部とを備えた構造となっている。
上記構造の「生ゴミ処理容器」においては、容器周壁部が分割可能であるため、容器の埋設、引き抜きを容易に行うことができる。また、容器周壁部によって土の容器内への侵入を防ぐことができる。さらに、遮断中蓋部が設けられているため、生ゴミを投入する際、容器内部が直接目に触れることがなく、また、臭気や虫が生ゴミ投入口に立ち上ってくることがない。
【０００６】
さらに、特許文献３には「生ゴミ処理容器」という名称で、発酵及び分解を促進させて生ゴミを良好にコンポスト化あるいは土壌化させることが可能な生ゴミ処理容器に関する発明が開示されている。
特許文献３に開示された「生ゴミ処理容器」は、上部に生ゴミの投入口が設けられ、下部に網筒部が形成された処理容器本体と、投入口を上方から覆う蓋体とを備え、蓋体の処理容器本体に面する内面側に、生ゴミの発酵促進剤を衝撃又は振動によって落下可能に保持する籠体が設けられていることを特徴とするものである。
上記構造の「生ゴミ処理容器」においては、蓋体を開閉する際に発酵促進剤が好適に散布されるため、発酵及び分解を促進して、生ゴミを良好にコンポスト化あるいは土壌化させることができる。
【特許文献１】実開平６−８２００２号公報
【特許文献２】実開平６−７２９０７号公報
【特許文献３】特開平１０−１５２２０１号公報
【考案の開示】
【考案が解決しようとする課題】
【０００７】
しかしながら、上述の従来技術である特許文献１に開示された考案においては、生ゴミの量が多い場合には専用の広い場所を確保する必要があるという課題があった。また、容器の形状が固定されているため、設置場所が限定されてしまうという課題もあった。従って、例えば、農家では家から離れた畑の近くに設置されることが多く、台所で発生した生ゴミの運搬が不便であるという課題があった。さらに、バケツを伏せた形状の容器は嵩張るため、輸送が容易でないという課題があった。
【０００８】
また、特許文献２又は特許文献３に開示された考案あるいは発明においては、容器全体を土中に埋設するため、一旦設置した後は移動が困難であるという課題があった。なお、処理容量に余裕を持たせれば、移動しなくて済むが、その場合には、容器が大型になるとともに、広い設置場所が必要になるという課題が生じる。
【０００９】
本考案はかかる従来の事情に対処してなされたものであり、設置場所が限定されず、安価に製造できるとともに、簡単な構造であって、設置や輸送が容易な生ゴミ処理器を提供することを目的とする。
【課題を解決するための手段】
【００１０】
上記目的を達成するため、請求項１記載の考案である生ゴミ処理器は、地面に掘設された凹穴に生ゴミを収容する生ゴミ処理器において、生ゴミ投入口が段差部を形成して穿設され凹穴の開口部を蓋う略平板状の本体部と、この本体部の段差部に嵌合して生ゴミ投入口を閉塞する着脱自在の略平板状の蓋体とを備え、本体部と蓋体の上面は略面一となることを特徴とするものである。
このような構成の生ゴミ処理器においては、生ゴミが微生物による発酵及び分解に適した温度状態に保たれるとともに、臭気が漏洩し難いという作用を有する。また、蓋体の開閉を行っても、それにより凹穴の崩落が引き起こされることがないという作用を有する。また、本体部と蓋体の上面が略面一に形成されるため、地中に設置されても地面と面一とすることができ、従って突出することがなく、景観やスペースを維持するという作用を有する。
【００１１】
また、請求項２記載の考案は、請求項１記載の生ゴミ処理器において、本体部は、外縁近傍の下面に生ゴミ投入口を囲むように凸部が連続又は断続して設けられることを特徴とするものである。
このような構成の生ゴミ処理器においては、請求項１記載の考案の作用に加えて、凸部が凹穴開口縁部の内側に接することで凹穴の崩落を防ぐと同時に、本体部のずれを防ぐという作用を有する。
【００１２】
請求項３記載の考案は、請求項１又は請求項２に記載の生ゴミ処理器において、凹穴の内部に配置され、上部が生ゴミ投入口と連通するように開口された袋状体を備え、段差部には封止溝とこの封止溝に設けられる封止部材とが設けられ、本体部は、この袋状体を取り付ける保持具を有することを特徴とするものである。
このような構成の生ゴミ処理器においては、請求項１又は請求項２に記載された考案の作用に加えて、分解し難い生ゴミが袋状体内に残り、分解済みの生ゴミが袋状体外に漏れ出るため、袋状体によって分別されるという作用を有する。また、封止部材が生ゴミ投入口からの臭気の漏洩を防ぐという作用を有する。
【００１３】
請求項４記載の考案は、請求項３記載の生ゴミ処理器において、封止溝よりも内周側の段差部に凹部を形成し、この凹部内に保持具が備えられることを特徴とするものである。
このような構成の生ゴミ処理器においては、請求項３記載の考案の作用に加えて、蓋体を外すだけで、保持具が容易に露出するという作用を有する。
【００１４】
請求項５記載の考案は、請求項３記載の生ゴミ処理器において、封止溝よりも外周側の本体部上面に凹部を形成し、この凹部内に保持具が備えられることを特徴とするものである。
このような構成の生ゴミ処理器においては、請求項３記載の考案の作用に加えて、保持具が常時露出されるという作用を有する。
【００１５】
請求項６記載の考案は、請求項３記載の生ゴミ処理器において、本体部は、保持具を有することに代えて、生ゴミ投入口が設けられた蓋体固定部と、この蓋体固定部が嵌合する取付穴を有する枠体とから構成され、袋状体は、取付穴において蓋体固定部と枠体によって挟持されることを特徴とするものである。
このような構成の生ゴミ処理器によれば、請求項３に記載された考案の作用に加えて、開口部を広くして袋状体が本体部に取り付けられるという作用を有する。
【考案の効果】
【００１６】
以上説明したように、本考案の請求項１に記載の生ゴミ処理器においては、本体部の大きさを超えない範囲であれば、凹穴の大きさや形状を自由に設定することができる。また、本体部及び蓋体の上面に通行の支障となる突起や段差がないため、設置場所が限定されない。さらに、構造が簡単なため、製造や輸送が容易である。
【００１７】
本考案の請求項２に記載の生ゴミ処理器においては、請求項１記載の考案の効果に加えて、凹穴が崩落し難いため、設置や移動が容易である。
【００１８】
本考案の請求項３に記載の生ゴミ処理器においては、請求項１又は請求項２に記載された考案の効果に加えて、本体部を取り外して袋状体を凹穴から引き上げることにより、分解し難い生ゴミを容易に回収することができる。
【００１９】
本考案の請求項４に記載の生ゴミ処理器においては、請求項３に記載された考案の効果に加えて、蓋体を取り外すだけで袋状体の凹穴からの引き上げが可能になるため、分解し難い生ゴミの回収が容易となる。
【００２０】
本考案の請求項５に記載の生ゴミ処理器においては、保持具が常に露出しているため、請求項３に記載された考案よりも一層効率良く、分解し難い生ゴミの回収作業を行うことが可能である。
【００２１】
本考案の請求項６に記載の生ゴミ処理器においては、請求項３に記載された考案の効果に加えて、凹穴の容量を有効に利用することができるとともに、袋状体の着脱が容易となる。また、袋状体の形状に対する制約が少ないため、製造コストを安くすることができる。
【考案を実施するための最良の形態】
【００２２】
以下に、本考案の最良の実施の形態に係る生ゴミ処理器の実施例について説明する。
【実施例１】
【００２３】
実施例１について図１及び図２を用いて説明する（特に請求項１乃至請求項３に対応）。
図１は本考案の実施の形態に係る生ゴミ処理器の実施例１の外観図であり、図２（ａ）は実施例１の生ゴミ処理器を土中に埋設した状態を示す断面図であり、（ｂ）は本体部の平面図である。
図１に示すように、本実施例の生ゴミ処理器１ａは、略平板状の本体部５ａとこの本体部５ａに略面一に取り付けられる略平板状の蓋体７ａと、合成樹脂製又はステンレス製の網目構造を有する袋状体８とから構成されるものである。
本体部５ａは、段差部２を形成して生ゴミ投入口３が穿設されるとともに、この生ゴミ投入口３を囲むように外縁近傍の下面に凸部４が連続して設けられ、段差部２に図示しない封止溝が設けられている。また、蓋体７ａは、窪み状の取っ手６と図示しない封止部材を有して、本体部５ａに対して略面一に取り付けられ、生ゴミ投入口３を閉塞する構成となっている。
【００２４】
このように構成される生ゴミ処理器１ａは、図２（ａ）に示すようにして土中に設置される。すなわち、生ゴミ投入口３よりも径が大きく、凸部４よりも径が小さな凹穴１４を地面１３に掘設し、その内部に袋状体８を配置するとともに、上部を本体部５ａ及び蓋体７ａによって蓋う。ただし、袋状体８は輪状に形成された係止部１１を、図２（ａ）及び（ｂ）に示すように本体部５ａの４箇所に設けられた断面Ｌ字状の保持具１２に掛着し、開口部１５が生ゴミ投入口３と連通するように本体部５ａ下面に取り付けられる。また、蓋体７ａには封止部材９が装着されており、蓋体７ａが生ゴミ投入口３を閉塞する際に、段差部２に形成された封止溝１０に嵌合する構造となっている。なお、保持具１２は４箇所に限定されず、適宜その数を増減させてよい。
【００２５】
上記構成の生ゴミ処理器１ａにおいては、生ゴミが土中に完全に埋設されるため、微生物の活動に適した温度状態に保たれるとともに、臭気が漏洩し難い。また、生ゴミが凹穴１４内面の土と直接接触するため、土中の微生物やミミズ等の小動物が自由に活動でき、生ゴミの発酵及び分解が効率的に行われる。
さらに、凸部４は、地面１３に対する本体部５ａのずれを防ぐとともに、本体部５ａ下面に接する凹穴１４開口縁部の崩落を防ぐという作用を有する。また、本体部５ａと蓋体７ａとが別構造であるため、蓋体７ａの開閉動作が原因となって凹穴１４が崩落することがない。
加えて、袋状体８は、分解し難い生ゴミと分解済みの生ゴミとを分別するという作用を有する。また、封止部材９は生ゴミ投入口３からの臭気の漏洩を防止するという作用を有する。
【００２６】
以上説明したように、本実施例の生ゴミ処理器１ａにおいては、凹穴１４の大きさを本体部５ａの大きさを超えない範囲で自由に設定することができる。また、その形状にも制約がない。さらに、本体部５ａ及び蓋体７ａの上面に歩行の邪魔になるような突起や段差がないため、景観を損ねることなく、勝手口付近の狭い敷地や、人が通行する場所にも設置することが可能である。従って、生ゴミ処理器１ａまで生ゴミを運ぶ手間が削減される。
また、生ゴミの発生量が既に設置済みの生ゴミ処理器１ａの処理容量を超えた場合には、その近くに大きな別の凹穴１４を掘設し、今まで使用していた本体部５ａと蓋体７ａと袋状体８とをこの新しく掘設した凹穴１４に設置して新規の生ゴミ処理器１ａとすることによって、柔軟に対することが可能である。
さらに、本体部５ａを取り外すことにより、袋状体８を凹穴１４から引き上げて、分解し難い生ゴミの回収を行うことができる。もちろん、本体部５ａを取り外すことなく、袋状体８の係止部１１を保持具１２から外して袋状体８のみ引き上げてもよい。
加えて、本体部５ａ及び蓋体７ａは構造が簡単であるため、製造若しくは輸送に要する費用を安くすることができる。
【実施例２】
【００２７】
実施例２について図３を用いて説明する（特に請求項４に対応）。
図３（ａ）は本考案の実施の形態に係る実施例２の生ゴミ処理器を土中に埋設した状態を示す断面図であり、（ｂ）は本体部の平面図である。なお、図１及び図２に示した構成要素と同じものについては、同一の符号を付してその説明を省略する。
図３（ａ）及び（ｂ）に示すように、本実施例の生ゴミ処理器１ｂは、実施例１において封止溝１０よりも内周側に、段差部２よりも紐状体２０の太さ分以上に一段低くして形成された段差部１８に凹部１７を設け、この凹部１７内の例えば４箇所に設置した保持具１２に係止部１１を掛着することにより袋状体８を本体部５ｂに取り付けるものである。なお、段差部１９の径は生ゴミ投入口３の径よりも小さく、袋状体８を本体部５ｂに取り付けたままで段差部１９を生ゴミ投入口３に嵌合することが可能である。
このような構成の生ゴミ処理器１ｂにおいては、蓋体７ａを本体部５ｂから取り外すことにより、袋状体８の係止部１１が露出するという作用を有する。そして、蓋体７ａで生ゴミ投入口３を閉塞する際に、紐状体２０が蓋体７ａや本体部５ｂと干渉しないという作用を有する。
【００２８】
以上説明したように、本実施例の生ゴミ処理器１ｂにおいては、蓋体７ａを取り外すだけで、袋状体８を凹穴１４から引き上げることができる。従って、分解し難い生ゴミの回収作業が容易となる。また、保持具１２が、段差部２よりも一段低い段差部１８に設けられた凹部１７に形成されていると同時に、その外側に封止溝１０と封止部材９が設けられているため、係止部１１と保持具１２の掛着が封止に影響を与えることがなく、蓋体７ａと本体部５ｂの密着性を担保することが可能である。
【実施例３】
【００２９】
実施例３について図４を用いて説明する（特に請求項５に対応）。
図４（ａ）は本考案の実施の形態に係る実施例３の生ゴミ処理器を土中に埋設した状態を示す断面図であり、（ｂ）は本体部の平面図であり、（ｃ）は実施例３の蓋体の平面図である。なお、図１乃至図３に示した構成要素と同じものについては、同一の符号を付してその説明を省略する。
図４（ａ）乃至（ｃ）に示すように、本実施例の生ゴミ処理器１ｃは、実施例１において封止溝１０よりも外周側の本体部５ｃの上面に凹部１７を設け、この凹部１７内の例えば４箇所に設置した保持具１２に係止部１１を掛着して袋状体８を本体部５ｃに取り付ける構造となっている。そして、蓋体７ｂには、生ゴミ投入口３を閉塞した際に紐状体２０が干渉しないように切欠部１６を設けて、紐状体２０をその切欠部１６内へ導いている。
このような構成の生ゴミ処理器１ｃにおいては、袋状体８の係止部１１が常時露出するとともに、蓋体７ｂで生ゴミ投入口３を閉塞する際に、紐状体２０が蓋体７ｂや本体部５ｃと干渉しないという作用を有する。
【００３０】
以上説明したように、本実施例の生ゴミ処理器１ｃにおいては、係止部１１が常時露出しているため、係止部１１を保持具１２から容易に取り外すことができる。従って、分解し難い生ゴミの回収作業を実施例３よりもさらに効率良く行うことが可能である。
【実施例４】
【００３１】
実施例４について図５を用いて説明する（特に請求項６に対応）。
図５は本考案の実施の形態に係る生ゴミ処理器の実施例４の外観図である。なお、図１乃至図４に示した構成要素と同じものについては、同一の符号を付してその説明を省略する。
図５に示すように、本実施例の生ゴミ処理器１ｄは、実施例１において本体部５ｄが生ゴミ投入口３を有する蓋体固定部２１と、この蓋体固定部２１を嵌合させる取付穴２３を有する枠体２２とから構成され、袋状体８が取付穴２３において蓋体固定部２１と枠体２２によって挟持されることを特徴とする。
このような構成の生ゴミ処理器１ｄにおいては、開口部１５を広くして袋状体８が本体部５ｄに取り付けられるという作用を有する。
なお、袋状体８の枠体２２への取り付け方法は、図５に示すものに限定されるものではなく、種々変形可能である。例えば、取付穴２３を形成する段差部あるいは枠体２２上面に実施例２又は実施例３で説明した凹部１７を設け、この凹部１７内に設置した保持具１２に袋状体８の端部を掛着させる構造としても良い。ただし、この場合には、袋状体８の端部が干渉しないように蓋体固定部２１の径を取付穴２３の径よりも小さくすることが望ましい。また、実施例１又は実施例２に示したように、蓋体固定部２１の段差部２に図２等で示した封止溝１０を形成するとともに、蓋体７ａに封止部材９を装着した構造としても良い。
【００３２】
以上説明したように、本実施例の生ゴミ処理器１ｄにおいては、開口部１５が広いため、凹穴１４の容量を有効に利用することが可能である。また、袋状体８を本体部５ｄに取り付ける場合に係止部１１が不要であるため、袋状体８の取り付け、取り外しが容易である。加えて、袋状体８を特殊な形状にする必要がないため、製造コストを下げることができる。
【００３３】
なお、本考案の生ゴミ処理器は本実施例に示した構成に限定されるものではない。例えば、保持具１２の個数及び設置位置は袋状体８の大きさに応じて、適宜、変更可能であるとともに、保持具１２の形状は袋状体８の係止部１１が掛着可能であれば、Ｌ字断面以外の形状であっても良い。また、凸部４は、本実施例では、外縁近傍の下面に連続して設けられているが、これは断続的に設けることにしてもよい。周囲の土壌の性質なども考慮しながら適宜選択するとよい。また、凸部４の断面形状も楔型に限らず、台形や矩形であっても良い。ただし、土に差し込み易くするためには、尖端で縦長形状であることが望ましい。
次に、袋状体８は網目構造でなくとも良く、例えば、微生物の侵入を許容できるような目の細かい布状のものを設けてもよいし、網目状の生地と布状の生地を組合わせるような袋状体としてもよい。ただ、なるべく複数のスリットが設けられて生ゴミが漏れることなく、小動物や微生物が自由に侵入できるような構成であることが望ましい。また、その材質は本実施例では、腐食性を考慮して合成樹脂又はステンレスを採用しているが、地中の長期間配置しても腐食しない材質のものであれば、特にこれらの材質に限定するものではない。
また、蓋体７ａ，７ｂのみで生ゴミ投入口３の密閉性が十分確保される場合には、封止溝１０及び封止部材９を省略しても良い。また、分解され難いゴミと分解済みのゴミとの分別を行わない場合には、袋状体８及び保持具１２を省略することもできる。さらに、蓋体７ａ，７ｂを蝶番によって本体部５ａ乃至５ｄに取り付けた構造としても良い。
【産業上の利用可能性】
【００３４】
以上説明したように、請求項１乃至請求項６に記載された本考案は、家庭から出される生ゴミを土中に埋設して土壌還元処理する場合に適用可能である。
【図面の簡単な説明】
【００３５】
【図１】本考案の実施の形態に係る生ゴミ処理器の実施例１の外観図である。
【図２】（ａ）は実施例１の生ゴミ処理器を土中に埋設した状態を示す断面図であり、（ｂ）は本体部の平面図である。
【図３】（ａ）は本考案の実施の形態に係る実施例２の生ゴミ処理器を土中に埋設した状態を示す断面図であり、（ｂ）は本体部の平面図である。
【図４】（ａ）は本考案の実施の形態に係る実施例３の生ゴミ処理器を土中に埋設した状態を示す断面図であり、（ｂ）は本体部の平面図であり、（ｃ）は実施例３の蓋体の平面図である。
【図５】本考案の実施の形態に係る生ゴミ処理器の実施例４の外観図である。
【図６】従来技術に係る生ゴミ処理容器の構造を示す断面説明図である。
【符号の説明】
【００３６】
１ａ〜１ｄ…生ゴミ処理器  ２…段差部  ３…生ゴミ投入口  ４…凸部  ５ａ〜５ｄ…本体部  ６…取っ手  ７ａ，７ｂ…蓋体  ８…袋状体  ９…封止部材  １０…封止溝  １１…係止部  １２…保持具  １３…地面  １４…凹穴  １５…開口部  １６…切欠部  １７…凹部  １８，１９…段差部  ２０…紐状体  ２１…蓋体固定部  ２２…枠体  ２３…取付穴  １０１…生ゴミ処理容器  １０２…処理容器本体  １０２Ａ，１０２Ｂ…収納空間  １０３ａ，１０３ｂ…投入口  １０４…上部体  １０５…網体  １０６…リベット  １０７…仕切り板  １０８ａ，１０８ｂ…蓋体  １０９…軸  １１０…係止具  １１１…遮蔽蓋  １１２…穴
【図１】
0003114212.tif 000003
【図２】
0003114212.tif 000004
【図３】
0003114212.tif 000005
【図４】
0003114212.tif 000006
【図５】
0003114212.tif 000007
【図６】
0003114212.tif 000008